(57)【要約】【課題】振動エネルギーの漏れを抑え効率よく閉じ込めるよう改良された、反共振特性に優れ高い音響品質を有する高性能の圧電薄膜音響共振器を製造条件の厳しい制御を要することなく安定して提供する。【解決手段】圧電体層５Ａ，５Ｂとその上下両面にそれぞれ形成された上部電極６および下部電極４とを含む圧電積層構造体５１、及び、圧電体層５Ａと上部電極６及び下部電極４とが重畳する領域からなる振動部５２の振動を許容するように圧電積層構造体５１を支持する支持体１，２とを備える。圧電積層構造体５１の積層方向から見たときに、圧電体層が形成されている領域は、下部電極４が存在する電極領域と下部電極４が不在の周辺領域とからなる。周辺領域の圧電体層５Ｂは、Ｘ線回折のロッキングカーブ半値幅が２．０度以下で、下地の上面の高さのＲＭＳ変動で表される表面粗さが２ｎｍ以下である。【選択図】図１
2010141570.tif 000002
【特許請求の範囲】
【請求項１】
圧電体層とその上下両面にそれぞれ形成された上部電極および下部電極とを含んでなる圧電積層構造体、及び
前記圧電積層構造体の圧電体層と上部電極及び下部電極とが重畳する領域の少なくとも一部からなる振動部の振動を許容するように前記圧電積層構造体を支持する支持体とを備えており、
前記圧電積層構造体の積層方向から見たときに、前記圧電体層が形成されている領域は、前記下部電極が存在する電極領域と前記下部電極が不在の周辺領域とからなり、
前記周辺領域の圧電体層のＸ線回折のロッキングカーブ半値幅が２．０度以下であることを特徴とする圧電薄膜音響共振器。
【請求項２】
前記電極領域の圧電体層のＸ線回折のロッキングカーブ半値幅が１．５度以下であることを特徴とする、請求項１に記載の圧電薄膜音響共振器。
【請求項３】
前記周辺領域の圧電体層の下地の上面は高さのＲＭＳ変動で表される表面粗さが２ｎｍ以下であることを特徴とする、請求項１乃至２のいずれか一項に記載の圧電薄膜音響共振器。
【請求項４】
前記下部電極の上面は高さのＲＭＳ変動で表される表面粗さが１ｎｍ以下であることを特徴とする、請求項３に記載の圧電薄膜音響共振器。
【請求項５】
前記圧電積層構造体の振動部の下面は空間に接していることを特徴とする、請求項１乃至４のいずれか一項に記載の圧電薄膜音響共振器。
【請求項６】
前記圧電積層構造体の振動部の下面と前記支持体の上面との間に空間層が形成されていることを特徴とする、請求項５に記載の圧電薄膜音響共振器。
【請求項７】
前記圧電積層構造体の振動部の下面は、前記支持体に形成された音響反射層の上面に接していることを特徴とする、請求項１乃至４のいずれか一項に記載の圧電薄膜音響共振器。
【請求項８】
前記支持体は、基板と、該基板の上面上に形成された支持層とを含み、前記圧電積層構造体の周辺領域の下面は前記支持層の上面に接しており、
前記支持層の上面の高さのＲＭＳ変動で表される表面粗さが２ｎｍ以下であることを特徴とする、請求項１乃至７のいずれか一項に記載の圧電薄膜音響共振器。
【請求項９】
請求項１乃至８のいずれか一項に記載の圧電薄膜音響共振器を製造する方法であって、
熱酸化により基板の表面に酸化物からなる支持層を形成する工程と、
前記支持層上に導電層を形成する工程と、
前記導電層の一部を除去することにより、前記支持層の一部を露出させるとともに、前記導電層の残留する部分からなる前記下部電極を形成する工程と、
露出した前記支持層の表面を清浄化する工程と、
前記下部電極及び露出した前記支持層の上に前記圧電体層を形成する工程と、
前記圧電体層上に前記上部電極を形成する工程と
を有することを特徴とする、圧電薄膜音響共振器の製造方法。
【請求項１０】
請求項１乃至８のいずれか一項に記載の圧電薄膜音響共振器を製造する方法であって、
熱酸化により基板の表面に酸化物からなる支持層を形成する工程と、
前記支持層の一部の上にマスクを形成する工程と、
露出した前記支持層及び前記マスクの上に導電層を形成する工程と、
前記マスクを除去することにより、前記支持層の一部を露出させるとともに、前記導電層の残留する部分からなる前記下部電極を形成する工程と、
露出した前記支持層の表面を清浄化する工程と、
前記下部電極及び露出した前記支持層の上に前記圧電体層を形成する工程と、
前記圧電体層上に前記上部電極を形成する工程と
を有することを特徴とする、圧電薄膜音響共振器の製造方法。
【請求項１１】
前記露出した支持層の表面を清浄化する工程は、有機溶剤、アルカリ溶液、酸溶液および／または純水による洗浄を含んで行われることを特徴とする、請求項９乃至１０のいずれか一項に記載の圧電薄膜音響共振器の製造方法。
【請求項１２】
前記露出した支持層の表面を清浄化する工程は、エッチングを含んで行われることを特徴とする、請求項９乃至１０のいずれか一項に記載の圧電薄膜音響共振器の製造方法。
【請求項１３】
前記露出した支持層の表面を清浄化する工程は、１００℃以上５００℃以下の温度での加熱を含んで行われることを特徴とする、請求項９乃至１０のいずれか一項に記載の圧電薄膜音響共振器の製造方法。
【請求項１４】
複数の請求項１乃至８のいずれか一項に記載の圧電薄膜音響共振器を電気的に接続してなることを特徴とする圧電薄膜フィルタ。
【請求項１５】
複数の請求項１乃至８のいずれか一項に記載の圧電薄膜音響共振器を電気的に接続してなることを特徴とする圧電薄膜デュプレクサ。
【発明の詳細な説明】
【技術分野】
【０００１】
本発明は、圧電薄膜音響共振器およびその製造方法に関するものであり、特に振動エネルギーの漏洩を効率よく抑制することを企図した圧電薄膜音響共振器およびその製造方法に関する。圧電薄膜音響共振器はたとえば圧電薄膜フィルタ及び圧電薄膜デュプレクサを構成するのに使用され、これら圧電薄膜フィルタ及び圧電薄膜デュプレクサはたとえば通信機器等を構成するのに使用される。
【背景技術】
【０００２】
圧電現象を応用した素子は広範な分野で用いられている。携帯機器の小型化と省力化とが進む中で、ＲＦ用およびＩＦ用のフィルタとして弾性表面波（Ｓｕｒｆａｃｅ  Ａｃｏｕｓｔｉｃ  Ｗａｖｅ：ＳＡＷ）素子の使用が拡大している。ＳＡＷフィルタは設計および生産技術の向上によりユーザーの厳しい要求仕様に対応してきたが、利用周波数の高周波数化と共に特性向上の限界に近づき、電極形成の微細化と安定した出力確保との両面で大きな技術革新が必要となってきている。
【０００３】
一方、圧電体薄膜の厚み振動を利用した薄膜バルク弾性波共振子（Ｔｈｉｎ  Ｆｉｌｍ  Ｂｕｌｋ  Ａｃｏｕｓｔｉｃ  Ｒｅｓｏｎａｔｏｒ：以下ＦＢＡＲ）、積層型薄膜バルク弾性波共振器およびフィルタ（Ｓｔａｃｋｅｄ  Ｔｈｉｎ  Ｆｉｌｍ  Ｂｕｌｋ  Ｗａｖｅ  Ａｃｏｕｓｔｉｃ  Ｒｅｓｏｎａｔｏｒｓ  ａｎｄ  Ｆｉｌｔｅｒｓ：以下ＳＢＡＲ）は、基板上に設けられた薄い支持膜の上に、主として圧電体より成る薄膜と、これを駆動する電極とを形成したものであり、ギガヘルツ帯での基本共振が可能である。ＦＢＡＲまたはＳＢＡＲを用いて構成されるフィルタは、著しい小型化が可能で、かつ低損失・広帯域動作が可能な上に、半導体集積回路と一体化することができるので、将来の超小型携帯機器への応用が期待されている。
【０００４】
このような弾性波を利用したＦＢＡＲ及びＳＢＡＲなどの圧電薄膜素子は、例えば、以下のようにして製造される。
【０００５】
シリコンなどの半導体の単結晶からなる基板、或いはシリコンウエハ上に多結晶ダイヤモンド膜を形成してなる基板の上に、種々の薄膜形成方法によって、誘電体薄膜、導電体薄膜、またはこれらの積層膜からなる下地膜を形成する。この下地膜上にて圧電体薄膜を形成し、さらに必要に応じた上部構造を形成する。各膜の形成後に、または全膜を形成した後に、各々の膜に物理的処理または化学的処理を施すことにより、微細加工及びパターニングを行う。異方性エッチングにより基板から振動部の下に位置する部分を除去した浮き構造を作製した後、最後に１素子単位毎に分離することにより圧電薄膜素子を得る。
【０００６】
例えば、特許文献１に記載された圧電薄膜素子は、基板表面上に下地膜、下部電極、圧電体薄膜及び上部電極を形成した後に、基板裏面から振動部となる部分の下にある基板部分を除去して、ビアホールを形成することにより製造されている。圧電薄膜素子用の圧電材料としては、窒化アルミニウム（ＡｌＮ）、酸化亜鉛（ＺｎＯ）、硫化カドミウム（ＣｄＳ）、チタン酸鉛（ＰＴ（ＰｂＴｉＯ３））、チタン酸ジルコン酸鉛（ＰＺＴ（Ｐｂ（Ｚｒ，Ｔｉ）Ｏ３））などが用いられている。特にＡｌＮは、弾性波の伝播速度が速く、高周波帯域で動作する薄膜共振器及び薄膜フィルタ用の圧電材料として適している。
【０００７】
圧電薄膜デバイスに応用されるＦＢＡＲ及びＳＢＡＲなどの圧電薄膜共振器を製造する従来の第２の方法は、空気ブリッジ式ＦＢＡＲデバイスを作ることである（例えば、特許文献２参照）。通常、最初に犠牲層（Ｓａｃｒｉｆｉｃｉａｌ  ｌａｙｅｒ）を設置し、次にこの犠牲層の上に圧電薄膜構造を形成する。プロセスの終わりまたは終わり近くに、犠牲層を除去して、振動用空間を形成する。処理はすべて基板上面側で行なわれるから、この方法は、基板両面におけるパターンの整列および大面積の基板下面側開口部を必要としない。
【０００８】
前記特許文献２には、金属やポリマーを犠牲層の材料として用いることにより、基板上面への空洞形成やＣＭＰ研磨による基板上面の平坦化の工程を必要とせず、比較的単純な工程で振動用空間を形成する、空気ブリッジ式のＦＢＡＲ／ＳＢＡＲデバイスの構成と製造方法とが記載されている。
【０００９】
一方、特許文献３には、薄膜バルク音響共振器において、横振動モードに起因するスプリアスの低減を目的として、第２の電極の外周端近傍に位置する圧電体層を除去することで、該圧電体層の端面を出現させ、この端面の少なくとも一部を第２の電極の内側に位置させ、これにより反共振周波数近傍で生じるスプリアスを抑制することが記載されている。
【００１０】
また、特許文献４には、薄膜バルク音響共振器において、横方向伝搬モードを抑圧することを目的として、圧電膜において、該圧電膜の両面に一対の電極が付されて形成される共振器の周囲に位置する外領域の一部に、音波を減衰させるための音響減衰領域を設けることが記載されている。
【特許文献１】特開昭６０−１４２６０７号公報
【特許文献２】国際公開ＷＯ２００５−０６００９１号公報
【特許文献３】特開２００６−２０２７７号公報
【特許文献４】特開２００５−１１０２３０号公報
【発明の開示】
【発明が解決しようとする課題】
【００１１】
しかしながら、上記特許文献１及び２には、ＦＢＡＲおよびＳＢＡＲの構造や製造方法についての記載はあるものの、ＦＢＡＲおよびＳＢＡＲにおける共振器特性のなかで最も重要な特性のひとつである反共振特性の向上、及びそのための方法や対策については記されていない。
【００１２】
反共振特性が高い共振器を用いてフィルタを作製した場合、通過帯域端における応答性が急峻となり、挿入損失の小さい通過特性に優れたフィルタを作製することができる。また、反共振特性が低下する要因は、圧電薄膜音響共振器の反共振モードでの振動エネルギーの漏洩であり、この振動エネルギーの漏洩を抑え、振動エネルギーを閉じ込めておくことが特性向上の鍵となる。
【００１３】
上記特許文献３には、圧電体層の端面の少なくとも一部を第２の電極の内側に位置させることで、反共振周波数近傍で生じるスプリアスを抑制するための方法として、第２の電極形成後に露出した圧電体層を厚み方向につき一部残すようにエッチング除去することが記載されている。しかし、この方法では、所要の特性を持つ薄膜バルク音響共振器を安定して得るためには、製造条件の厳しい制御が必要となる。
【００１４】
また、上記特許文献４には、スプリアスを抑制するために、音響減衰領域の圧電膜のＸ線回折のロッキングカーブ半値幅を、共振器領域の圧電膜のＸ線回折のロッキングカーブ半値幅より大きくすることが記載されている。具体的には、共振器領域のロッキングカーブ半値幅が１．０〜１．５度程度の場合に、音響減衰領域のロッキングカーブ半値幅を５度以上としている。しかし、この方法でも、反共振特性の向上は未だ十分ではない。
【００１５】
本発明の目的は、振動エネルギーの漏れを抑え、振動エネルギーを効率よく閉じ込めることができるよう改良された、反共振特性に優れ高い音響品質を有する高性能の圧電薄膜音響共振器を製造条件の厳しい制御を要することなく安定して提供することである。
【００１６】
本発明のさらに他の目的は、そのような圧電薄膜音響共振器を含むフィルタおよびデュプレクサを提供することである。
【課題を解決するための手段】
【００１７】
上記特許文献３及び４に示されるように、従来、スプリアス抑制のためには、圧電体層または圧電膜を１対の電極により挟み込んで形成される共振構造の周辺において、圧電体層または圧電膜の端面形状を意図的に荒らしたものとしたり、圧電体層または圧電膜の結晶性を意図的に低下させたりすることが、有効であるとされていた。
【００１８】
しかしながら、本発明者は、このような従来の常識とは異なり、共振器の特性をさらに向上させるためには、共振構造の周辺において圧電体層または圧電膜の結晶性を十分に高めることが有効であることを見出し、本発明に到達した。
【００１９】
すなわち、本発明によれば、以上の如き目的のいずれかを達成するものとして、
圧電体層とその上下両面にそれぞれ形成された上部電極および下部電極とを含んでなる圧電積層構造体、及び
前記圧電積層構造体の圧電体層と上部電極及び下部電極とが重畳する領域の少なくとも一部からなる振動部の振動を許容するように前記圧電積層構造体を支持する支持体とを備えており、
前記圧電積層構造体の積層方向から見たときに、前記圧電体層が形成されている領域は、前記下部電極が存在する電極領域と前記下部電極が不在の周辺領域とからなり、
前記周辺領域の圧電体層のＸ線回折のロッキングカーブ半値幅が２．０度以下であることを特徴とする圧電薄膜音響共振器、
が提供される。
【００２０】
本発明の一態様においては、前記電極領域の圧電体層のＸ線回折のロッキングカーブ半値幅が１．５度以下である。
【００２１】
本発明の一態様においては、前記周辺領域の圧電体層の下地の上面は高さのＲＭＳ変動で表される表面粗さが２ｎｍ以下である。本発明の一態様においては、前記下部電極の上面は高さのＲＭＳ変動で表される表面粗さが１ｎｍ以下である。本発明において、高さのＲＭＳ変動は、日本工業規格ＪＩＳ Ｂ０６０１：２００１「製品の幾何特性仕様（ＧＰＳ）−表面性状：輪郭曲線方式−用語、定義及び表面性状パラメータ」に記載の二乗平均平方根粗さ：Ｒｑである。
【００２２】
本発明の一態様においては、前記圧電積層構造体の振動部の下面は空間に接している。本発明の一態様においては、前記圧電積層構造体の振動部の下面と前記支持体の上面との間に空間層が形成されている。本発明の一態様においては、前記圧電積層構造体の振動部の下面は、前記支持体に形成された音響反射層の上面に接している。
【００２３】
本発明の一態様においては、前記圧電積層構造体は複数の前記圧電体層を備えている。本発明の一態様においては、互いに隣接する下側圧電体層及び上側の圧電体層の組の少なくとも１つにおいて、前記下側圧電体層に関する上部電極が前記上側圧電体層に関する下部電極として機能する。
【００２４】
本発明の一態様においては、前記支持体は、基板と、該基板の上面上に形成された支持層とを含み、前記圧電積層構造体の周辺領域の下面は前記支持層の上面に接しており、
前記支持層の上面の高さのＲＭＳ変動で表される表面粗さが２ｎｍ以下である。
【００２５】
また、本発明によれば、以上の如き目的のいずれかを達成するものとして、
上記の圧電薄膜音響共振器を製造する方法であって、
熱酸化により基板の表面に酸化物からなる支持層を形成する工程と、
前記支持層上に導電層を形成する工程と、
前記導電層の一部を除去することにより、前記支持層の一部を露出させるとともに、前記導電層の残留する部分からなる前記下部電極を形成する工程と、
露出した前記支持層の表面を清浄化する工程と、
前記下部電極及び露出した前記支持層の上に前記圧電体層を形成する工程と、
前記圧電体層上に前記上部電極を形成する工程と
を有することを特徴とする、圧電薄膜音響共振器の製造方法、
が提供され、更に、
上記の圧電薄膜音響共振器を製造する方法であって、
熱酸化により基板の表面に酸化物からなる支持層を形成する工程と、
前記支持層の一部の上にマスクを形成する工程と、
露出した前記支持層及び前記マスクの上に導電層を形成する工程と、
前記マスクを除去することにより、前記支持層の一部を露出させるとともに、前記導電層の残留する部分からなる前記下部電極を形成する工程と、
露出した前記支持層の表面を清浄化する工程と、
前記下部電極及び露出した前記支持層の上に前記圧電体層を形成する工程と、
前記圧電体層上に前記上部電極を形成する工程と
を有することを特徴とする、圧電薄膜音響共振器の製造方法、
が提供される。
【００２６】
本発明の一態様においては、前記露出した支持層の表面を清浄化する工程は、有機溶剤、アルカリ溶液、酸溶液および／または純水による洗浄を含んで行われる。本発明の一態様においては、前記露出した支持層の表面を清浄化する工程は、エッチングを含んで行われる。本発明の一態様においては、前記露出した支持層の表面を清浄化する工程は、１００℃以上５００℃以下の温度での加熱を含んで行われる。
【００２７】
また、本発明によれば、以上の如き目的のいずれかを達成するものとして、
複数の上記の圧電薄膜音響共振器を電気的に接続してなることを特徴とする圧電薄膜フィルタ、
が提供され、更に、
複数の上記の圧電薄膜音響共振器を電気的に接続してなることを特徴とする圧電薄膜デュプレクサ、
が提供される。
【発明の効果】
【００２８】
本発明によれば、圧電積層構造体の積層方向を横切る横方向に伝播する振動エネルギーを効率よく閉じ込めて振動エネルギーの漏洩を抑制するよう改良された、反共振特性に優れ高い音響品質を有する高性能の圧電薄膜音響共振器、並びに複数の該圧電薄膜音響共振器を電気的に接続してなる圧電薄膜フィルタ及び圧電薄膜デュプレクサを、製造条件の厳しい制御を要することなく安定して提供することができる。
【発明を実施するための最良の形態】
【００２９】
以下に、本発明の実施形態を詳細に説明する。
【００３０】
図１は本発明による圧電薄膜音響共振器の一実施形態を示す模式的縦断面図であり、図２はその模式的平面図である。図１は、図２のＸ−Ｘ断面に相当する。
【００３１】
これらの図において、圧電薄膜音響共振器１０１は、基板１、該基板１の上面上に形成された支持層２、該支持層の一部を除去して形成した振動用空間３を跨ぐよう形成された圧電積層構造体５１を有する。基板１及び支持層２が、圧電積層構造体５１を支持する支持体として機能する。また、圧電積層構造体５１は、下部電極４、圧電体層５（圧電体層５Ａ，５Ｂからなる）、および上部電極６からなる。
【００３２】
上記支持体は、圧電積層構造体５１の圧電体層５Ａと上部電極６及び下部電極４とが重畳する領域の少なくとも一部であって振動用空間３に対応する部分からなる振動部５２の厚み振動を許容するように、圧電積層構造体５１を支持している。かくして、圧電積層構造体５１の積層方向から見たときに、圧電体層５が形成されている領域は、下部電極４が存在する電極領域（圧電体層５Ａに相当）と、下部電極が不在の周辺領域（圧電体層５Ｂに相当）とからなる。
【００３３】
本実施形態では、圧電積層構造体５１の振動部５２の下面は振動用空間３に接しており、すなわち、圧電積層構造体５１の振動部５２の下面と基板１の上面により形成される支持体の上面との間に空間層が形成されている。
【００３４】
基板１としては、（１００）Ｓｉなどの単結晶ウエハ、またはＳＯＩ（Ｓｉｌｉｃｏｎ  ｏｎ  Ｉｎｓｕｌａｔｏｒ）ウエハを用いることができる。また、ヒ素化ガリウムなどの半導体単結晶ウエハ、さらには石英ガラスなどの絶縁体基板を用いることも可能である。
【００３５】
支持層２としては、例えば珪酸ガラス（ＳｉＯ２）を主成分とする絶縁体膜又はＢＰＳＧ膜（boron  phosphorus  silicate  glass：ホウ素とリンを添加したシリカガラス膜）等を用いることができる。支持層２の厚さは５００ｎｍ以上且つ３０００ｎｍ以下の程度が好ましい。５００ｎｍより薄くなると、圧電積層構造体５１の振動部５２が振動する際の撓みにより、振動部５２の一部が基板１の上面に接触し特性に悪影響を与える可能性が著しく増加する。３０００ｎｍを超えると、製造に際して、振動用空間３を形成するためのエッチング時間が長くなり、横方向へのエッチングが進行し、振動用空間３の形状精度が低下する。そのため、特性に悪影響を与えたり、下部電極４の剥離により、圧電積層構造体５１の歩留まりが悪化する等の可能性が増加する。
【００３６】
圧電体層５Ａ，５Ｂは、同一の材料からなるものであり、同一工程で形成されるが、それらが形成される下地が異なる。すなわち、圧電体層５Ａは、圧電積層構造体５１の積層方向（すなわち図１における上下方向）から見た時に、下部電極４が形成されている領域においてその上面上に形成された圧電体層であり、圧電体層５Ｂは上記積層方向から見た時に下部電極４が形成されていない領域において支持層２の上面上に形成された圧電体層である。圧電体層５Ａ，５Ｂの材料としては、窒化アルミニウム（ＡｌＮ）、酸化亜鉛（ＺｎＯ）、硫化カドミウム（ＣｄＳ）、チタン酸鉛（ＰＴ（ＰｂＴｉＯ３））、チタン酸ジルコン酸鉛（ＰＺＴ（Ｐｂ（Ｚｒ，Ｔｉ）Ｏ３））等の圧電材料が挙げられる。特に、窒化アルミニウム（ＡｌＮ）は、弾性波の伝播速度が速く、高周波帯域で動作する圧電薄膜音響共振器及び圧電薄膜フィルタなどの圧電薄膜デバイス用の圧電体薄膜として適している。
【００３７】
圧電体層５Ｂの結晶性は、Ｘ線回折のロッキングカーブ半値幅が２．０度以下である。このような圧電体層５Ｂは、たとえば、下地の支持層２の上面の高さのＲＭＳ変動で表される表面粗さを２ｎｍ以下とすることで、形成することができる。
【００３８】
一方、圧電体層５Ａの結晶性は、Ｘ線回折のロッキングカーブ半値幅が１．５度以下である。このような圧電体層５Ａは、たとえば、下地の下部電極４の上面の高さのＲＭＳ変動で表される表面粗さを１ｎｍ以下とすることで、形成することができる。
【００３９】
圧電体層５Ａ，５Ｂの厚さは、所望の共振周波数に応じて適宜選択され、例えば５００〜３０００ｎｍである。
【００４０】
下部電極４および上部電極６の材料としては、特に制限はないが、金（Ａｕ）、白金（Ｐｔ）、チタン（Ｔｉ）、アルミニウム（Ａｌ）、モリブデン（Ｍｏ）、タングステン（Ｗ）、タンタル（Ｔａ）、イリジウム（Ｉｒ）、ルテニウム（Ｒｕ）などが挙げられる。特に、モリブデン（Ｍｏ）は、比較的安価であり、製造工程における取り扱いの容易さからも好ましい。下部電極４および上部電極６の厚さは、例えば５０〜５００ｎｍである。
【００４１】
以下、本発明の圧電薄膜音響共振器の製造方法の一実施形態として、上記実施形態に係る圧電薄膜音響共振器の製造方法について、図３乃至９を用いて説明する。
【００４２】
まず、図３に示すように、基板１の上面上に支持層２を形成する。基板１としてシリコン基板を用いる場合は、シリコン基板の表面を熱酸化することによりシリコン酸化物からなる絶縁体膜（すなわち、珪酸ガラスを主成分とする絶縁体膜）としての支持層２を形成できる。支持層２としては、熱酸化膜のほかにも、ＣＶＤ法により堆積させたＢＰＳＧ膜等を用いることができる。
【００４３】
次に、図４に示すように、支持層２上にて、振動用空間３に対応した領域上に犠牲層２１を形成する。犠牲層２１は、ある特定の化学物質によるエッチング速度が支持層２のエッチング速度に比べて大きい物質から選択される。支持層２として珪酸ガラスまたは珪酸塩ガラスを主成分とする絶縁層を用いる場合には、犠牲層２１の材質としてチタン（Ｔｉ）が好適に利用できる。エッチング液としてはふっ化水素酸やふっ化水素酸緩衝液を利用できる。これらのエッチング液に対して、チタン（Ｔｉ）は、珪酸ガラスに比べ、数倍以上のエッチング速度を有する。支持層２として珪酸ガラスを主成分とする絶縁層を用いる場合のその他の犠牲層２１の材質としては、ゲルマニウム（Ｇｅ）を用いることができる。この場合、エッチング液としては、ふっ化水素酸と過酸化水素水との混合溶液が好適に利用できる。犠牲層２１の厚みは２０〜６００ｎｍ、好ましくは２０〜９０ｎｍである。厚みが２０ｎｍよりも薄くなると、エッチング液の浸透が遅く、支持層２をエッチングするのに長時間を要し、犠牲層２１の端部に対応して位置する支持層２の部分において横方向へのエッチングが進み、形成される振動用空間３の形状精度が低下する傾向にある。厚さが６００ｎｍ以上になると、得られる圧電薄膜デバイスの共振特性が若干低下する傾向にある。また、犠牲層２１を所定の形状にパターニングする方法としては、ドライエッチングやウェットエッチングなどのフォトリソグラフィー技術や、リフトオフ法を適宜使用することができる。
【００４４】
次に、図５に示すように、犠牲層２１を跨ぐように下部電極４を形成する。下部電極４の形成は、スパッタ法や蒸着法で支持層２上に導電層を形成し、該導電層の一部を除去すること（パターニング）により、支持層２の一部を露出させるとともに、導電層の残留する部分を下部電極となすことで行われる。導電層の材質すなわち下部電極４の材質は、後述の工程で犠牲層２１をエッチングするエッチング液への耐性と、圧電体層５Ａの結晶品質に悪影響を与えないように適宜選択する。導電層を所定の形状にパターニングする方法としては、ドライエッチングやウェットエッチングなどのフォトリソグラフィー技術や、リフトオフ法を適宜使用することができる。
【００４５】
下部電極４の形成の別法として、支持層２の一部であって下部電極４を形成しない領域の上にマスクを形成し、露出した支持層２及びマスクの上に導電層を形成し、マスクを除去することにより、支持層２の一部を露出させるとともに、導電層の残留する部分からなる下部電極４を形成するリフトオフ法が挙げられる。
【００４６】
次に、図６に示すように、下部電極４の上面上および、下部電極４をパターニング形成する際に露出した支持層２の上面上に、それぞれ圧電体層５Ａ，５Ｂを堆積させる。
【００４７】
圧電体層５Ｂの結晶性は支持層２の表面の清浄度の影響を受けるので、圧電体層５Ａ，５Ｂの堆積に先立ち、支持層２の表面を清浄化する。清浄化の手法としては、次のようなものが例示される。すなわち、露出した支持層２の表面を、有機溶剤、アルカリ溶液、酸溶液および／または純水により洗浄したり、Ａｒによるドライエッチングを行ったり、ハロゲンランプにより１００℃以上５００℃以下の温度で２分から１０分程度加熱したりすることで、表面に付着している有機物等の除去を行う。
【００４８】
圧電体層５Ａ，５Ｂは同一工程で形成される。この際、圧電体層５Ｂの結晶性は、下部電極４をパターニング形成する際に露出した支持層２の表面状態の影響を受け、支持層２の表面粗さが大きいと圧電体層５Ｂの結晶性は悪くなり、逆に支持層２の表面粗さが小さいと圧電体層５Ｂの結晶性は良くなる。支持層２の上面の表面粗さを２ｎｍ以下とすることで、圧電体層５ＢのＸ線回折のロッキングカーブ半値幅を２．０度以下とすることができる。上記のような清浄化により、支持層２の上面の表面粗さを低減し、たとえば２ｎｍ以下にすることができる。尚、圧電体層５Ａの結晶性は、下地の下部電極４の表面状態の影響を受け、下部電極４の上面の表面粗さを１ｎｍ以下とすることで、圧電体層５ＡのＸ線回折のロッキングカーブ半値幅を１．５度以下とすることができる。
【００４９】
次に、図７に示すように、下部電極４の場合と同様にして、上部電極６を形成する。これにより、下部電極４、圧電体層５Ａ，５Ｂ、及び上部電極６からなる圧電積層構造体５１が形成される。
【００５０】
次に、図８に示すように、上部電極６、圧電体層５Ａ及び下部電極４を上下方向に貫通して犠牲層２１の一部を露出するように貫通孔２２を設ける。
【００５１】
次に、図９に示すように、貫通孔２２から犠牲層２１及び支持層２をエッチングするためのエッチング液（上記特定の化学物質）を導入し、振動用空間３を形成する。
【００５２】
図１０は本発明による圧電薄膜音響共振器の他の実施形態を示す模式的縦断面図である。この図は、上記図１に対応する部分を示す。図１０において、図１乃至９におけると同様の機能を有する部材には、同一の符号が付されている。本実施形態では、基板１及び支持層２を貫通する振動用空間３が形成されている。本実施形態の圧電薄膜音響共振器は、上記図１及び２に係る実施形態のものと同様にして、但し犠牲層２１及び貫通孔２２を形成せずに基板１の下面側からのエッチングで振動用空間３を形成することで、製造される。
【００５３】
図１１は本発明による圧電薄膜音響共振器の更に別の実施形態を示す模式的縦断面図である。この図は、上記図１に対応する部分を示す。図１１において、図１乃至１０におけると同様の機能を有する部材には、同一の符号が付されている。本実施形態では、圧電積層構造体５１の振動部５２の下面は、支持体の上面側領域に形成された音響反射層１１の上面に接している。音響反射層１１は、低インピーダンス層と高インピーダンス層との交互積層体からなる。低インピーダンス層としてはＳｉＯ２やＡｌＮなどの音響インピーダンスの小さな材料からなるものが使用され、高インピーダンス層としてはＭｏ、Ｗ、Ｔａ２Ｏ５などの音響インピーダンスの大きな材料からなるものが使用され、これらの低インピーダンス層及び高インピーダンス層の厚みが弾性波の４分の１波長に相当するように設定される。
【００５４】
本実施形態の圧電薄膜音響共振器は、次のようにして製造することができる。先ず、シリコン基板などの半導体基板１の上面に支持層２を形成し、ここに湿式エッチング等の技術によりピット部を形成し、スパッタリング法、蒸着法、ＣＶＤ法などの成膜技術により音響反射層１１を形成する。その後、ＣＭＰ法などの平坦化技術により表面平坦化を行う。その後、上記実施形態と同様にして下部電極４、圧電体層５Ａ，５Ｂ、および上部電極６を形成する。
【００５５】
以上のような圧電薄膜音響共振器を複数、共通の基板上に形成し、これらを適宜電気的に接続し、必要に応じて更に他の素子を使用することで、圧電薄膜フィルタ及び圧電薄膜デュプレクサを構成することができる。このようなフィルタ及びデュプレクサにおける具体的な電気的接続の形態例としては、特開２００８−１２４６３８号公報の特に図４、５及び９を参照して説明されているようなものが挙げられる。
【実施例】
【００５６】
以下に実施例および比較例を示し、本発明をさらに詳細に説明する。
【００５７】
（実施例１）
本実施例１では、以下のようにして図１および図２に示されている構造の圧電薄膜音響共振器を製造した。
【００５８】
Ｓｉ基板１上に、熱酸化法により、厚さ１５００ｎｍのＳｉＯ２からなる支持層２を形成した。続いて、支持層２の上に、スパッタリング法により、空洞を形成するための厚さ５０ｎｍのＴｉ犠牲層２１を堆積した。このＴｉ犠牲層２１を、エッチングにより、圧電薄膜音響共振器の振動部５２の形状にパターニングした。
【００５９】
続いて、スパッタリング法によりＭｏを約３００ｎｍ堆積し、所望の形状とするためにエッチングによりパターニングを行って下部電極４を形成した。
【００６０】
続いて、下部電極４の形成の際のＭｏパターニングにより露出した支持層２の表面を清浄化するため、１／５００に希釈したフッ化水素水溶液を用い洗浄した後、さらに純水により洗浄した。この処理により、支持層２の表面粗さを高さのＲＭＳ変動の値で１．５ｎｍ以下に制御した。
【００６１】
続いて、圧電材料としてＡｌＮを用い、ＡｌＮをスパッタリング法により約１２００ｎｍ堆積し、圧電体層５Ａおよび５Ｂを形成した。その際、ＡｌＮを堆積する前にスパッタリング装置内でハロゲンランプにより支持層２の表面及び下部電極４の表面を４５０℃で１０分加熱処理し、表面の吸着水および有機物を除去した。さらに、ＡｌＮを堆積する直前に支持層２の表面及び下部電極４の表面をＡｒプラズマによりエッチング処理し、下部電極４のＭｏをパターニングにより除去して露出した支持層２の表面を清浄化するとともに平坦化した。この処理により、支持層２の表面粗さを高さのＲＭＳ変動の値で１．０ｎｍ以下に制御した。
【００６２】
以上の加熱処理およびＡｒプラズマ処理により、周辺領域の圧電体層５ＢのＸ線回折のロッキングカーブ半値幅を１．４９度にすることができた。
【００６３】
続いて、下部電極４の場合と同様の方法で、Ｍｏを約３００ｎｍ堆積し、パターニングを行って上部電極６を形成した。
【００６４】
続いて、振動用空間３を作製するために、エッチングにより、犠牲層２１まで到達するように４個の１０μｍφ程度の貫通孔２２を開けた。
【００６５】
続いて、エッチング液としてふっ化水素酸緩衝液を貫通孔２２より犠牲層２１に注入し、犠牲層２１を除去すると共に、その下に接した支持層２の部分を除去することで、圧電薄膜音響共振器の振動部５２の形状に振動用空間３を形成し、本発明による圧電薄膜音響共振器を得た。
【００６６】
このようにして得た圧電薄膜音響共振器のインピーダンス特性を図１２に示す。また、表１に前処理条件と圧電体層５Ａ，５Ｂの結晶性（Ｘ線回折のロッキングカーブ半値幅）および下地の表面粗さ並びに反共振特性の測定結果を示す。表１及び図１２からも分かるとおり、反共振特性のＱ値が６８０以上と高い、特性に優れた共振器を得ることができた。
【００６７】
（比較例１）
比較例１として、支持層表面の洗浄と、圧電体層を形成する前にスパッタリング装置内で行うハロゲンランプによる加熱処理およびＡｒプラズマ処理とをしなかったこと以外は、実施例１と同様にして圧電薄膜音響共振器を作製した。
【００６８】
得られた共振器のインピーダンス特性を図１３に示すとともに、前処理条件と圧電体層５Ｂの結晶性（Ｘ線回折のロッキングカーブ半値幅）および反共振特性の測定結果を表１に示す。実施例１に比べ、圧電体層５Ｂの結晶性が２．５１度と悪く、反共振特性のＱ値が３５０以下と低い結果であった。図１２に示した本発明の圧電薄膜音響共振器の特性に比べ、明らかに特性が劣っており、好ましい特性は得られなかった。
【００６９】
（実施例２、３及び４、並びに比較例２及び３）
実施例２、３及び４、並びに比較例２及び３として、圧電体層を形成する前の前処理条件を種々変えて作製した圧電薄膜音響共振器について、前処理条件と圧電体層５Ｂの結晶性および反共振特性の測定結果を表１に示す。
【００７０】
【表１】
2010141570.tif 000003
【００７１】
表１に示す実施例および比較例からも分かるとおり、周辺領域に圧電体層を堆積させる前の前処理条件を好適化することにより、下部電極のパターニング時に露出した支持層２上に堆積する圧電体層５Ｂの結晶性を２．０度以下に制御することができる。これにより、反共振インピーダンスの高い特性の優れた圧電薄膜音響共振器を作製することができた。
【００７２】
図１４に、周辺領域の圧電体層５Ｂの結晶性と反共振特性との関係をまとめて示す。これより、周辺領域の圧電体層５Ｂの結晶性を２．０度以下にすることで、反共振特性のＱ値が４００以上と高い特性を有する圧電薄膜音響共振器が得られることが分かる。
【図面の簡単な説明】
【００７３】
【図１】本発明による圧電薄膜音響共振器の実施形態を示す模式的縦断面図である。
【図２】図１の圧電薄膜音響共振器の模式的平面図である。
【図３】図１の圧電薄膜音響共振器の製造方法の実施形態を示す模式的縦断面図である。
【図４】図１の圧電薄膜音響共振器の製造方法の実施形態を示す模式的縦断面図である。
【図５】図１の圧電薄膜音響共振器の製造方法の実施形態を示す模式的縦断面図である。
【図６】図１の圧電薄膜音響共振器の製造方法の実施形態を示す模式的縦断面図である。
【図７】図１の圧電薄膜音響共振器の製造方法の実施形態を示す模式的縦断面図である。
【図８】図１の圧電薄膜音響共振器の製造方法の実施形態を示す模式的縦断面図である。
【図９】図１の圧電薄膜音響共振器の製造方法の実施形態を示す模式的縦断面図である。
【図１０】本発明による圧電薄膜音響共振器の実施形態を示す模式的縦断面図である。
【図１１】本発明による圧電薄膜音響共振器の実施形態を示す模式的縦断面図である。
【図１２】圧電薄膜音響共振器の特性を示す図である。
【図１３】圧電薄膜音響共振器の特性を示す図である。
【図１４】周辺領域の圧電体層の結晶性と反共振特性との関係をまとめて示す図である。
【符号の説明】
【００７４】
１０１  圧電薄膜音響共振器
１  基板
２  支持層
３  振動用空間
４  下部電極
５，５Ａ，５Ｂ  圧電体層
５１  圧電積層構造体
５２  振動部
６  上部電極
２１  犠牲層
１１  音響反射層
【図１】
2010141570.tif 000004
【図２】
2010141570.tif 000005
【図３】
2010141570.tif 000006
【図４】
2010141570.tif 000007
【図５】
2010141570.tif 000008
【図６】
2010141570.tif 000009
【図７】
2010141570.tif 000010
【図８】
2010141570.tif 000011
【図９】
2010141570.tif 000012
【図１０】
2010141570.tif 000013
【図１１】
2010141570.tif 000014
【図１２】
2010141570.tif 000015
【図１３】
2010141570.tif 000016
【図１４】
2010141570.tif 000017